(57)【特許請求の範囲】
【請求項１】
棚枠に取り付けられた複数の棚板、及び前記棚板に載置された陳列ケースを備え、前記陳列ケースは、当該陳列ケースに対し陳列品取出し可能化操作を行うことで陳列品の取出しが可能となるように構成され、前記陳列品取出し可能化操作を施錠により不能とするケース錠が前記陳列ケースごとに設けられている陳列棚であって、
前記陳列ケースごとの前記各ケース錠の一括的開錠を行う錠一括操作機構が設けられ、
前記ケース錠は電動式であり、前記錠一括操作機構は、前記各ケース錠の一括開錠操作を電気的に行い、
前記錠一括操作機構は、前記各ケース錠に電力を共通的に供給する共用給電ライン、前記共用給電ラインに接続する電源装置、及び前記共用給電ラインと前記電源装置に介在し、前記共用給電ラインと前記電源装置の接続・非接続を切り替える通電スイッチを備え、前記ケース錠への通電を行うことにより、電気的な一括開錠操作を行うことを特徴とする陳列棚。
【請求項２】
前記通電スイッチは、鍵穴を有し、前記鍵穴に錠一括操作鍵を挿入することで、前記共用給電ラインと前記電源装置の接続・非接続を切り替え操作可能に構成されていることを特徴とする請求項１に記載の陳列棚。
【請求項３】
前記錠一括操作機構は、前記通電スイッチと前記電源装置に介在し、前記各陳列ケースの前記陳列品を照明する各照明具に電力を共通的に供給する照明具用共用給電ラインを有することを特徴とする請求項１又は請求項２に記載の陳列棚。
【請求項４】
前記棚板は、前記棚枠に取り付けられた棚板ブラケットにより前後方向にスライド可能に支持されたスライド式の棚板であり、前記陳列品取出し可能化操作は、前記陳列ケースを前記スライド式の棚板と一体的に前方にスライドさせて引き出す、引出し操作であることを特徴とする請求項１乃至請求項３のいずれか１項に記載の陳列棚。
【請求項５】
前記ケース錠は、電動式の錠本体と施錠受けとで構成され、前記錠本体と前記施錠受けの間での係止により施錠を行うことを特徴とする請求項１乃至請求項４のいずれか１項に記載の陳列棚。
【請求項６】
前記錠本体は、開錠・施錠の駆動源としてのソレノイドを有することを特徴とする請求項５に記載の陳列棚。
【請求項７】
前記錠本体は、前記ソレノイドのプランジャに係止受けを組み付けて形成された錠プランジャ、及び前記錠プランジャが非通電時に突出状態となるように突出方向に付勢する突出付勢ばねを備え、突出状態にある前記錠プランジャの前記係止受けが前記施錠受けの係止爪に係止されることで、施錠を行うことを特徴とする請求項６に記載の陳列棚。
【請求項８】
前記係止爪は、テーパ面を有しており、前記陳列品取出し可能化操作の逆操作である陳列品取出し不能化操作が前記錠プランジャの突出状態においてなされた際に、前記テーパ面が前記錠プランジャの先端を押圧して突出状態にある前記錠プランジャを後退させつつ、前記係止受けに係止して施錠状態となるように構成されていることを特徴とする請求項７に記載の陳列棚。
【請求項９】
前記施錠受けは、鍵穴を有し、前記鍵穴に非常時鍵を挿入して開錠操作を行えるように構成されており、その開錠操作により前記錠本体への係止を解除することで、前記ケース錠ごとの開錠がなされるように構成されていることを特徴とする請求項５乃至請求項８のいずれか１項に記載の陳列棚。
【請求項１０】
前記ケース錠は、電動式の錠本体と施錠受けとで構成され、
前記錠本体は、前記棚板ブラケットに固定されて陳列品を照明するための照明具に取り付けられ、前記施錠受けは、前記スライド式の棚板に取り付けられていることを特徴とする請求項４乃至請求項９のいずれか１項に記載の陳列棚。
【発明の詳細な説明】
【技術分野】
【０００１】
本発明は、小売店舗で用いられる陳列棚に関し、特に、化粧品などのように比較的単価が高い商品の陳列に好適な陳列棚に関する。
【背景技術】
【０００２】
スーパーマーケットやコンビニエンスストア、あるいはドラッグストアなどの小売店舗で用いられる陳列棚には様々なタイプがある。その一つとして、比較的単価が高い化粧品などの陳列時の防護が求められる商品等の陳列用として、ショーケース化したタイプの陳列棚がある。一般的なショーケース化タイプの陳列棚は、取付け高さを調整可能に形成された棚枠に複数の棚板を適宜な高さ間隔で取り付けた多段陳列構造となっており、これに加えて、商品陳列用として各棚板に載せられた陳列ケースを備えている。この陳列ケースは、防護陳列領域を有し、また必要に応じて開放陳列領域を有している。防護陳列領域は、客が見ることはできるものの手を触れることができないように、透明な遮蔽板で陳列品を客から遮断してある領域であり、必要時に店員が陳列ケースに陳列品取出し可能化操作（例えば陳列ケースを引出す操作）を行うことで、客が陳列品を手に取ることができる。一方、開放陳列領域は、客が陳列品を自由に手に取ることができる領域である。
【０００３】
従来、このようなショーケース化タイプの陳列棚として、例えば特許文献１に記載のように、防護性をより高めるために陳列ケースの施錠を行えるようにしたものが知られている。具体的には、陳列ケースごとに錠を設け、その錠の施錠により陳列品取出し可能化操作である陳列ケース引出し操作を不能にして、防護陳列領域（特許文献１では後方陳列領域）の陳列品を客から確実に遮断できるようにしている。
【先行技術文献】
【特許文献】
【０００４】
【特許文献１】実用新案登録第３１４１３１３号公報
【発明の概要】
【発明が解決しようとする課題】
【０００５】
上記従来の陳列棚では、施錠を必要とする陳列ケースごとに設けてある錠に対して個別に開錠・施錠操作を行う必要があり、この個別開錠・施錠操作の必要性に伴って以下のような課題を抱えている。
【０００６】
多段陳列構造の陳列棚では、複数の陳列ケースのそれぞれに陳列される商品に何らかの関連性のある場合が多い。この場合、客は複数の陳列ケースに対し同時に興味を示す場合が少なくない。このような場合、個別の開錠・施錠操作を必要とする従来の陳列棚では、店員が客の求めに応じて興味対象の複数の陳列ケースのそれぞれについて開錠操作や施錠操作を行わなければならなくなり、開錠・施錠操作が繁雑となって、店員の操作負担が大きくなる。その結果、いたずらに客を待たせることになって、サービスの質を低下させたり、客の購買意欲を減退させたりすることになりかねない。こうしたことから、施錠方式の陳列棚については、開錠・施錠操作の繁雑さ、特に開錠操作の繁雑さを解消して、店員の操作負担を軽減できるようにすることが強く望まれる。
【０００７】
本発明の目的は、施錠方式の陳列棚において、開錠操作の繁雑さを解消し、開錠操作に関する操作負担を軽減することができる陳列棚を提供することにある。
【課題を解決するための手段】
【０００８】
上記課題を解決するために第１の発明では、棚枠に取り付けられた複数の棚板、及び前記棚板に載置された陳列ケースを備え、前記陳列ケースは、当該陳列ケースに対し陳列品取出し可能化操作を行うことで陳列品の取出しが可能となるように構成され、前記陳列品取出し可能化操作を施錠により不能とするケース錠が前記陳列ケースごとに設けられている陳列棚であって、前記陳列ケースごとの前記各ケース錠の一括的開錠を行う錠一括操作機構が設けられていることを特徴としている。
【０００９】
このような第１の発明によれば、錠一括操作機構を設け、その錠一括操作機構で各陳列ケースのケース錠を一括的に開錠できることから、客が複数の陳列ケースを興味対象とする場合であっても、店員はそれらの陳列ケースについて一々開錠操作を行わなくても済む。したがって第１の発明によれば、施錠方式の陳列棚について、開錠操作の繁雑さを解消でき、開錠操作に関する操作負担を大幅に軽減することができる。その結果、サービスの質の低下を招いたり、客の購買意欲が減退することを防止できる。
【００１０】
また、上記第１の発明では、前記ケース錠は電動式であり、前記錠一括操作機構は、前記各ケース錠の一括開錠操作を電気的に行うことを特徴としている。
【００１１】
このように、ケース錠を電動式として一括開錠操作を電気的に行うことで、例えば機械的なリンク機構で開錠操作を各ケース錠に一括的に伝えるような構造に比べ、錠一括操作機構をより簡素な構造で形成することが可能となる。
【００１２】
さらに、上記第１の発明では、前記錠一括操作機構は、前記各ケース錠に電力を共通的に供給する共用給電ライン、前記共用給電ラインに接続する電源装置、及び前記共用給電ラインと前記電源装置に介在し、前記共用給電ラインと前記電源装置の接続・非接続を切り替える通電スイッチを備え、前記ケース錠への通電を行うことにより、電気的な一括開錠操作を行うことを特徴としている。
【００１３】
この錠一括操作機構は、各ケース錠への電力の供給を例えば給電レールなどで形成することのできる共用給電ラインで行う。これにより、各ケース錠への給電系の構造を簡素化でき、錠一括操作機構の構造の簡素化をより一層進めることが可能となる。また、通電によりケース錠の一括開錠操作を行う構造とすることで、ケース錠が施錠される通常時においては非通電状態とすることが可能となり、消費電力を節減することができる。
【００１４】
第２の発明では、上記第１の発明において、前記通電スイッチは、鍵穴を有し、前記鍵穴に錠一括操作鍵を挿入することで、前記共用給電ラインと前記電源装置の接続・非接続を切り替え操作可能に構成されていることを特徴としている。
【００１５】
この第２の発明は、通電スイッチを“錠化”するものである。これにより、錠一括操作機構自体にも防護性を与えることができ、これにより施錠による陳列ケースの防護性をさらに高めることができる。また店員は、鍵穴に錠一括操作鍵を挿入した状態で、例えば鍵を回す等の容易な操作によりケース錠を一括開錠操作することができ、操作負担をより軽減することができる。
【００１６】
第３の発明では、上記第１又は第２の発明において、前記錠一括操作機構は、前記通電スイッチと前記電源装置に介在し、前記各陳列ケースの前記陳列品を照明する各照明具に電力を共通的に供給する照明具用共用給電ラインを有することを特徴としている。
【００１７】
この第３の発明における錠一括操作機構では、各照明具への電力の供給を行う照明具用共用給電ラインを、給電系における通電スイッチの一次側に配置する。これにより、通電スイッチが操作されて共用給電ラインと電源装置とが非接続とされた場合でも、照明具への電力の供給は照明具用共用給電ラインを介して行われる。すなわち、通電スイッチの切り替え操作にかかわらず、照明具用共用給電ラインを介して照明具への電力供給を継続することができる。また、各照明具への電力の供給を例えば給電レールなどで形成することのできる照明具用共用給電ラインで行うので、各照明具への給電系の構造を簡素化でき、錠一括操作機構の構造の簡素化をより一層進めることが可能となる。なお、陳列ケースの陳列品取出し可能化操作としては様々な形態が可能であるが、使い勝手などから好ましい形態の一つは引出し操作である。そこで、第４の発明では、前記棚板は、前記棚枠に取り付けられた棚板ブラケットにより前後方向にスライド可能に支持されたスライド式の棚板であり、前記陳列品取出し可能化操作は、前記陳列ケースを前記スライド式の棚板と一体的に前方にスライドさせて引き出す、引出し操作として陳列品取出し可能化操作を実現している。
【００１８】
第５の発明では、上記第１乃至第４の各発明のいずれか一つにおいて、前記ケース錠は、電動式の錠本体と施錠受けとで構成され、前記錠本体と前記施錠受けの間での係止により施錠を行うことを特徴としている。
【００１９】
このようにケース錠を錠本体と施錠受けとで構成することにより、例えば施錠受けを介して非常時の個別開錠が可能な構造とするなど、ケース錠の機能性を拡張することが可能となる。
【００２０】
第６の発明では、上記第５の発明において、前記錠本体は、開錠・施錠の駆動源としてのソレノイドを有することを特徴としている。
【００２１】
このように、ケース錠の施錠方式をソレノイドを開錠・施錠の駆動源とするソレノイドロックとすることにより、錠本体と施錠受けの間での係止により施錠を行う施錠構造をより簡素な構造で実現することが可能となる。
【００２２】
第７の発明では、上記第６の発明において、前記錠本体は、前記ソレノイドのプランジャに係止受けを組み付けて形成された錠プランジャ、及び前記錠プランジャが非通電時に突出状態となるように突出方向に付勢する突出付勢ばねを備え、突出状態にある前記錠プランジャの前記係止受けが前記施錠受けの係止爪に係止されることで、施錠を行うことを特徴としている。
【００２３】
このように錠本体を構成することにより、ケース錠を通電時開錠式とすることができ、ケース錠に関する電力消費量の節約を図ることができる。すなわち施錠方式の陳列棚ではケース錠が施錠状態にあるのが通常の状態であるため、開錠状態の時間が施錠状態の時間に比べて格段に短いことから、非通電状態で施錠となり、通電により開錠となるようにすることで、ケース錠に関する電力消費量を最小限に抑えることができる。
【００２４】
第８の発明では、上記第７の発明において、前記係止爪は、テーパ面を有しており、前記陳列品取出し可能化操作の逆操作である陳列品取出し不能化操作が前記錠プランジャの突出状態においてなされた際に、前記テーパ面が前記錠プランジャの先端を押圧して突出状態にある前記錠プランジャを後退させつつ、前記係止受けに係止して施錠状態となるように構成されていることを特徴としている。
【００２５】
陳列ケースの陳列品取出し不能化操作は、ケース錠を開錠にして陳列品取出し可能化操作を行った後、つまり錠本体の錠プランジャが後退して非突出となっている状態でなされるのが原則である。ただ、陳列品取出し可能化操作後で陳列品取出し不能化操作前に何らかの原因で錠本体の錠プランジャが突出状態になってしまうことも起こり得る。第９の発明は、このような事態になった場合でも陳列ケースの陳列品取出し不能化操作を支障なく行えるようにするもので、これによりケース錠に関する使い勝手を高めることができる。
【００２６】
第９の発明では、上記第５乃至第８の各発明のいずれか一つにおいて、前記施錠受けは、鍵穴を有し、前記鍵穴に非常時鍵を挿入して開錠操作を行えるように構成されており、その開錠操作により前記錠本体への係止を解除することで、前記ケース錠ごとの開錠がなされるように構成されていることを特徴とている。
【００２７】
このような第９の発明は、非常時対応を可能とする。すなわち、例えば錠一括操作機構の電源装置や、錠本体のソレノイドに故障を生じたりした場合、錠一括操作機構による一括開錠操作ができなくなるが、第１０の発明は、このような事態になった場合でも、施錠受けを通じた開錠操作によりケース錠を個別に開錠でき、非常時への対応を可能としている。
【００３０】
第１０の発明では、上記第４乃至第９の各発明のいずれか一つにおいて、前記ケース錠は、電動式の錠本体と施錠受けとで構成され、前記錠本体は、前記棚板ブラケットに固定されて陳列品を照明するための照明具に取り付けられ、前記施錠受けは、前記スライド式の棚板に取り付けられていることを特徴としている。
【００３１】
陳列棚では、下方の棚板における陳列品を照明するための照明具を棚板ごとに設けるのが一般的である。その照明具は、下方に照明光を照射するようにして設けられ、しかも下方の棚板の幅方向の全体にわたって照明光を照射するようにして設けられる。このように陳列棚で必須的な要素である照明具を活用して錠本体の取付けを行うことにより、錠本体の取付けに伴う構造要素の簡素化を図ることが可能となる。
【発明の効果】
【００３２】
以上のような本発明によれば、施錠方式の陳列棚について、開錠操作の繁雑さを解消でき、開錠操作に関する操作負担を軽減することができる。
【図面の簡単な説明】
【００３３】
【図１】本発明の一実施形態である陳列棚の側面視による全体外観を示す図である。
【図２】図１の陳列棚の正面視による全体外観を示す図である。
【図３】棚板の要部構造を示す側断面図及び正面図である。
【図４】陳列ケースの斜視による全体外観を示す図である。
【図５】陳列ケースの棚板への組み付け構造を示す側面図である。
【図６】ケース錠の構成を示す図である。
【図７】錠一括操作機構の施錠状態の構成をケース錠と共に模式化して示す図である。
【図８】錠一括操作機構の開錠状態の構成をケース錠と共に模式化して示す図である。
【図９】非常時開錠を行う場合の錠一括操作機構及びケース錠の構成を示す図である。
【図１０】陳列ケースの押戻し操作を行う場合の錠本体と施錠受けの構成を示す図である。
【発明を実施するための形態】
【００３４】
図１と図２に、本発明の一実施形態である陳列棚１を示す。図１は、側面方向から見た全体外観を示し、図２は、正面方向から見た全体外観を示している。これらの図に見られるように、陳列棚１は、主な構成要素として棚枠２、棚板３、陳列ケース４、照明具５（図２）、及びケース錠６（図２）を備えている。
【００３５】
棚枠２は、ベースパネル１１に左右２本の支柱１２を立設した構造となっている。ベースパネル１１は、設置時に床に接して陳列棚１の全体を支える部材であり、適度な厚みを有する中空直方体状のパネル構造に形成され、接地用のアジャスタ１３と移動用のキャスタ１４が取り付けられている。支柱１２は、角筒状に形成されるとともに、その前面に係止孔１５が一定の間隔で多数設けられ、ベースパネル１１の左右それぞれの後側角部に立設されている。また支柱１２は、上端部にトップカバー１６が組み付けられ、このトップカバー１６で左右２本が連結されている。
【００３６】
棚板３は、図３（ａ）及び図３（ｂ）にも示すように、左右の各支柱１２に取り付けられる棚板ブラケット１７により支持されることで棚枠２に取り付けられている。より具体的には、棚板ブラケット１７は、後端に係止部１８が設けられ、その係止部１８を支柱１２の係止孔１５に係止させることで支柱１２に取外し可能に取り付けられている。そして棚板３は、この棚板ブラケット１７に載せて支持されることで棚枠２に取り付けられている。したがって、棚板ブラケット１７の係止部１８の係止孔１５への係止位置を調節することで、棚板３の取付け高さ位置を自由にレイアウトすることが可能となっている。
【００３７】
また棚板３は、棚板ブラケット１７上で前後方向（図１中の矢印Ａ方向）にスライド可能な構造となっている。具体的には、棚板３と棚板ブラケット１７の間にスライド機構１９を介在させ、このスライド機構１９により棚板３を棚板ブラケット１７上で前後方向にスライドさせることができる。つまり、棚板３を前方にスライドさせて引き出せるようになっている。
【００３８】
陳列ケース４は、透明な板材、例えば透明なアクリル板で全体が形成されており、ケース内に陳列される商品に関してショーケース的な防護性を与える機能を有している。そのために陳列ケース４は、図４に示すように、所定高さの透明な仕切板２１で仕切られた前方の開放陳列領域２２と後方の防護陳列領域２３を有している。開放陳列領域２２は、例えばサンプル品など防護を必要としない陳列品の陳列に用いられ、客がそこの陳列品（図示せず）を自由に手に取ることができる領域である。一方、防護陳列領域２３は、防護を必要とする陳列品の陳列に用いられ、仕切板２１を後述のように機能させることで、客がそこの陳列品（図示せず）を見ることはできるものの手を触れることができない領域である。
【００３９】
また陳列ケース４には、陳列品に関するタグ類を保持させるためのタグプレート２４が前端部に設けられている。タグプレート２４は、陳列ケース４における商品陳列面レベルよりも下方に向かって所定の高さｈだけ突出するように構成されている。
【００４０】
陳列ケース４は、棚板３に組み付けられている。図５に、陳列ケース４の棚板３への組付け構造を示す。図５（ａ）は組付け前の状態を示し、図５（ｂ）は組付け後の状態を示している。陳列ケース４は、棚板３の後端縁に設けられている蝶番２５にビス止めすることで棚板３に組み付けられる。このため陳列ケース４は、蝶番２５を支点にした矢印Ｂのような回動が可能である。このような陳列ケース４の回動動作は、タグプレート２４による棚板３の前面遮蔽を解除する際に行われる。すなわち、前述したようにタグプレート２４が高さｈで下方に突出していることにより、通常の状態ではタグプレート２４が覆い被さって棚板３の前面を遮蔽している（図５（ｂ）に実線で示す状態）。この状態から陳列ケース４を上方に回動させると、図５（ｂ）に想像線で示す状態になり、これによりタグプレート２４が棚板３の前面から外れ、棚板３の前面遮蔽が解除される。このような構成であるタグプレート２４による棚板３の前面遮蔽とその解除の機能については後述する。
【００４１】
陳列ケース４は、以上のように棚板３に組み付けられていることから、上述のように棚板３を前方にスライドさせて引き出す際に棚板３と一体的に引き出される（図１における２段目の陳列ケース４の状態）。ここで、引き出されていない状態の陳列ケース４では、仕切板２１の上端縁がトップカバー１６又は上方の棚板３に近接した状態となるため、客は防護陳列領域２３内の陳列品に手を触れたり、それを取り出したりすることができない状態となる。一方、陳列ケース４が図１における２段目の状態のように引き出されると、仕切板２１の上端縁がトップカバー１６や上方の棚板３から十分に離れた状態となり、これにより防護陳列領域２３内の陳列品に手を触れたり、それを取り出したりすることが可能となる。このように、陳列ケース４の引出し操作は、防護陳列領域２３の陳列品を取り出せるようにするために陳列ケース４に対して行う操作であり、この陳列ケース４の引出し操作が陳列品取出し可能化操作に相当する。
【００４２】
照明具５は、陳列ケース４の陳列品を照明する照明装置として機能する。そのために照明具５は、棚板３ごとに下方の棚板３を照明するように設けられている。より具体的には、照明具５は、図３に示すように、高反射性に形成された溝部２６を有するシェードバー２７に多数のＬＥＤ２８を配設した構成となっており、シェードバー２７が左右両棚板ブラケット１７の間に架け渡されている。そして照明具５は、シェードバー２７の左右各端を左右の各棚板ブラケット１７に固定させることで、棚板ブラケット１７に取り付けられている。このため照明具５は、下方の棚板３上の陳列ケース４を幅方向の全体にわたって均一に照明できる。
【００４３】
このような構成である照明具５への電力の供給は、棚枠２の支柱１２に沿わせるようにして棚枠２に組み付けられている照明具用給電レール２９（図２）を介して行われる。照明具用給電レール２９は、その詳細の図示は省略するが、レール構造に形成された本体部に長尺の給電導体を２本設けた構造を有している。この照明具用給電レール２９は、長さ方向の任意の位置にプラグを接続することができるようになっており、したがって棚板３ごとの各照明具５に共通的に電力を供給する照明具用共用給電ラインとして機能する。この照明具用給電レール２９には、ベースパネル１１の内部に設けられている陳列棚１の電源装置３０（図２）から電力が供給される。電源装置３０は、外部の商用電源から供給される交流電力から例えば１２Ｖといった電圧の直流電力を発生させ、これを照明具用給電レール２９に供給する。各照明具５は、その詳細の図示は省略するが、それぞれの電源コードのプラグを照明具用給電レール２９に接続することで、電力の供給を受ける。
【００４４】
ケース錠６は、陳列ケース４ごとに設けられており、上述した陳列ケース４の防護陳列領域２３における防護性をより高めるために、陳列品取出し可能化操作である引出し操作を不能とする施錠を陳列ケース４ごとに行う。
【００４５】
図６に、ケース錠６の構成を拡大して示す。図６（ａ）は上方から見た状態を示し、図６（ｂ）は前方から見た状態を示している。図６に示すように、ケース錠６は、錠本体３１と施錠受け３２で構成され、錠本体３１と施錠受け３２の間での係止により施錠を行う。
【００４６】
錠本体３１は、プル型のＤＣソレノイドであるソレノイド３３を開錠・施錠の駆動源とする電動式であり、錠プランジャ３４を備えている。錠プランジャ３４は、ソレノイド３３のプランジャ３５に係止受け３６を組み付けて構成されており、突出付勢ばね３７により突出方向に付勢されている。したがって錠プランジャ３４は、非通電時にはソレノイド本体３８の吸引力が働かないので、突出付勢ばね３７の付勢力により突出状態となって施錠受け３２により係止され、施錠される（図６の状態）。一方、通電時には錠プランジャ３４は、ソレノイド本体３８の吸引力により突出付勢ばね３７の付勢力に抗してソレノイド本体３８内に吸引されて非突出状態となるため、施錠受け３２による係止が解除され、開錠される。
【００４７】
このような構成である錠本体３１は、前述の図３に示すように、照明具５の背面、具体的にはシェードバー２７の背面にビス止めなどで固定的に取り付けられている。錠本体３１のシェードバー２７への取付け位置は、シェードバー２７の長手方向の略中央部となっており、後述する施錠受け３２の棚板３への取付け位置と対応している。
【００４８】
施錠受け３２は、本体部４１に係止爪４２を組み付けた構成となっている。本体部４１は、鍵穴４３を有しており、この鍵穴４３に非常時鍵４４を挿入することで、係止爪４２を９０度回転させる非常時開錠操作を行える。この非常時開錠操作により、後述のような係止爪４２の係止受け３６への係止を解除してケース錠６の非常時における開錠を行えるようになっている。また本体部４１は、その周面に雄ねじ部４５が形成されるとともに、雄ねじ部４５に取付けナット４６が螺合されている。
【００４９】
係止爪４２は、短冊形の金属板をＬ字形に折り曲げることで形成されており、固定面部４７と爪面部４８を有している。さらに、爪面部４８の先端部が外側へ鉤形に折り返されることで、テーパ面４９を有する鉤形部５０が形成されている。このような構成である係止爪４２は、固定面部４７でナット止めすることにより本体部４１に組み付けられている。
【００５０】
以上のように構成される施錠受け３２は、図３や図５に示すように、棚板３に取り付けられている。具体的には、棚板３の長手方向の略中央位置に、棚板３の前側の端縁部に本体部４１の取付けナット４６による締結で固定的に取り付けられている。この施錠受け３２の棚板３への取付け位置は、上述のように錠本体３１のシェードバー２７への取付け位置と対応している。そしてこの位置対応により、上述のような錠本体３１と施錠受け３２の間での施錠のための係止が行われる。すなわち、施錠受け３２の棚板３への取付け位置と錠本体３１のシェードバー２７への取付け位置を適切に対応させることにより、図６に示すように錠プランジャ３４が突出状態にある場合に、錠プランジャ３４の係止受け３６に施錠受け３２の係止爪４２が鉤形部５０の端縁を引っ掛けるようにして係止することができ、これによりケース錠６が施錠を行う。
【００５１】
ここで、施錠受け３２は、上述のように、棚板３の中央位置で前端縁部に取り付けられている。このままの状態では、施錠受け３２の鍵穴４３が棚板３の前端縁部に露出することになり、しかもその位置が客の目につきやすい棚板３の長手方向中央であることから、防犯上の問題が懸念される。このような問題に対処するのが、前述した陳列ケース４のタグプレート２４による棚板３の前面遮蔽と陳列ケース４の回動動作による遮蔽解除である。すなわち、タグプレート２４で棚板３の前面を遮蔽することにより、施錠受け３２の鍵穴４３が客の目に入るのを防止できる。その一方で、施錠受け３２の鍵穴４３を使う必要が生じた場合には、陳列ケース４の回動動作によりタグプレート２４による前面遮蔽を解除して、鍵穴４３を露出させることができる。
【００５２】
図７と図８に、陳列ケース４ごとの各ケース錠６の開錠・施錠を一括的に行えるようにする錠一括操作機構５１の構成をケース錠６と共に模式化して示す。図７は施錠状態を示しており、図８は開錠状態を示している。なお、錠一括操作機構５１は複数のケース錠６を開錠・施錠操作の対象としているが、図７と図８では簡略化のために一つのケース錠６だけを図示している。これら図７及び図８に示すように、錠一括操作機構５１は、ケース錠用給電レール５２、電源装置３０、及び通電スイッチ５３を主な構成要素として有している。
【００５３】
ケース錠用給電レール５２は、上述の照明具用給電レール２９と同様に、陳列ケース４ごとの各ケース錠６に共通的に電力を供給できるようになっており、共用給電ラインとして機能する。このケース錠用給電レール５２には、照明具用給電レール２９を介して電源装置３０から電力が供給される。具体的には、中継コード５４でケース錠用給電レール５２を照明具用給電レール２９に電気的に接続し、照明具用給電レール２９を介して電源装置３０からケース錠用給電レール５２に電力を供給できるようになっている。
【００５４】
通電スイッチ５３は、図１及び図２に見られるように、トップカバー１６の前端縁部の一端側に取り付けることで、中継コード５４の通電路の途中にスイッチ接点５５を介在させるように構成されており、中継コード５４の通電路を開閉する。また通電スイッチ５３は、鍵穴５６を有し、この鍵穴５６に錠一括操作鍵５７を挿入することで、操作可能となる。つまり通電スイッチ５３は、鍵穴５６に錠一括操作鍵５７を挿入した状態で操作することで、スイッチ接点５５の開閉を切り替えることができる。このような構成である通電スイッチ５３としては、例えばイグニッションスイッチを用いるのが、小型化できるなどの点から好ましい例である。
【００５５】
また、図７及び図８に示すように、錠一括操作機構５１は、通電スイッチ５３と電源装置３０に介在するように照明具用給電レール２９を備えている。すなわち、各照明具５への電力の供給を行う照明具用給電レール２９を、給電系における通電スイッチ５３の一次側に配置する。このような構造により、通電スイッチ５３が操作されてスイッチ接点５５が開放された場合でも、照明具５への電力の供給は照明具用給電レール２９を介して行われる。すなわち、中継コード５４の通電路の開閉にかかわらず、照明具用給電レール２９を介して照明具５への電力供給を継続することができる。
【００５６】
以下ではケース錠６の開錠・施錠操作について説明する。陳列棚１における各陳列ケース４は、ケース錠６による施錠がなされ、防護陳列領域２３の陳列品に対する防護性が確保されているのが通常の状態である。この状態では、陳列ケース４ごとの各ケース錠６は、非通電状態であることによりソレノイド本体３８の吸引力が働かないことから、図７に示す状態のように錠プランジャ３４が突出付勢ばね３７の付勢力により突出し、その錠プランジャ３４の係止受け３６に施錠受け３２の係止爪４２が鉤形部５０の端縁を引っ掛けるようにして係止されることで、施錠されている。
【００５７】
こうした状態にあって、例えば客の要望に応じて防護陳列領域２３の陳列品を取り出せるようにするためには、ケース錠６の開錠を行う。ケース錠６の開錠を行うには、通電スイッチ５３の鍵穴５６に錠一括操作鍵５７を挿入して通電スイッチ５３をスイッチ接点閉側に操作し、図７に示すような開状態にあるスイッチ接点５５を図８に示すような閉状態に切り替える。すると、中継コード５４を介してケース錠用給電レール５２が照明具用給電レール２９に電気的に接続し、ケース錠用給電レール５２が通電状態となる。そして、これに応じて各ケース錠６の錠本体３１のソレノイド３３が一斉に通電され、その結果、各ケース錠６が一斉に開錠する。つまり、通電により各ケース錠６は、図８に示す状態のように、錠プランジャ３４がソレノイド本体３８の吸引力により突出付勢ばね３７の付勢力に抗して吸引されて非突出状態となり、これにより施錠受け３２との間での係止が解除され、一斉に開錠される。
【００５８】
以上のようにして、各ケース錠６が一斉に開錠している状態から、各ケース錠６を施錠状態に戻すには、通電スイッチ５３の鍵穴５６に錠一括操作鍵５７を挿入して通電スイッチ５３をスイッチ接点開側に操作してスイッチ接点５５を開状態に切り替える。すると、中継コード５４によるケース錠用給電レール５２と照明具用給電レール２９の電気的な接続が遮断され、ケース錠用給電レール５２が非通電状態となる。そして、これに応じて各ケース錠６の錠本体３１のソレノイド３３が一斉に非通電状態となり、各ケース錠６は、一斉に図７に示す状態に戻って施錠される。
【００５９】
図９に、施錠受け３２の非常時開錠用の錠構造を利用して、非常時開錠を行った場合の錠一括操作機構５１の構成を示す。例えば、錠一括操作機構５１の電源系に不具合を生じたり、錠本体３１のソレノイド３３に不具合を生じたりした場合には、錠一括操作機構５１による一括開錠操作ができなくなる。このような場合に開錠が必要となった際は、施錠受け３２の非常時開錠用の錠構造を利用して非常時開錠を行う。非常時開錠は、施錠受け３２の鍵穴４３に非常時鍵４４を挿入して行う。具体的には、鍵穴４３に非常時鍵４４を挿入し、その挿入状態で非常時鍵４４を開錠方向に回す。すると、係止爪４２が９０度回転して図９に示すような状態になる。つまり、係止爪４２の鉤形部５０の向きが９０度変わり、ソレノイド３３の非通電やソレノイド３３の不具合などで錠プランジャ３４が突出状態にあっても、その錠プランジャ３４に係止爪４２が係止されない状態になり、結果として係止解除となって開錠される。
【００６０】
図１０に、陳列ケース４に対する陳列品取出し可能化操作である陳列ケース４の引出し操作の逆操作、つまり引き出し状態にある陳列ケース４を押し込んで戻す押戻し操作を、陳列品取出し不能化操作として、錠プランジャ３４が突出状態にある状態で行った場合の錠本体３１と施錠受け３２の状態を示す。陳列ケース４の押戻し操作を行うのは、ケース錠６が開錠され、陳列ケース４が引き出し状態にある場合である。したがって、この状態では通常、錠本体３１の錠プランジャ３４が後退して非突出となっており、棚板３に取り付けてある施錠受け３２は錠本体３１から離れた状態にある。しかしながら、陳列ケース４の引き出し後、陳列ケース４を押し戻す前に、何らかの原因で図１０に示すように錠本体３１の錠プランジャ３４が突出状態になってしまうことも起こり得る。この状態で陳列ケース４の押戻し操作を行うと、施錠受け３２が錠本体３１に向かって近づき、まず係止爪４２のテーパ面４９がその先端側から錠プランジャ３４の係止受け３６の先端に接触する状態になる。この状態に入ると、テーパ面４９により係止受け３６の先端が押圧されるようになり、この押圧を受けて突出状態にある錠プランジャ３４が、陳列ケース４の押戻しの進行につれて、徐々に後退させられる。そしてテーパ面４９が係止受け３６から外れる状態、つまり陳列ケース４の押戻しが完了するまで押戻しが進むと、係止爪４２による押圧が解除される。その結果、錠プランジャ３４が本来の突出位置まで戻って係止爪４２が係止受け３６に係止され、ケース錠６が施錠される。
【００６１】
以上説明した実施形態の陳列棚１においては、錠一括操作機構５１を設け、その錠一括操作機構５１で各陳列ケース４のケース錠６を一括的に開錠できることから、客が複数の陳列ケース４を興味対象とする場合であっても、店員はそれらの陳列ケース４について一々開錠操作を行わなくても済む。したがって、開錠操作の繁雑さを解消でき、開錠操作に関する店員の操作負担を大幅に軽減することができる。その結果、店員によるサービスの質の低下を招いたり、客を待たせることによる購買意欲の減退を防止することができる。
【００６２】
また、本実施形態では特に、ケース錠６を電動式として一括開錠操作を電気的に行う構成とすることで、例えば機械的なリンク機構で開錠操作を各ケース錠６に一括的に伝えるような構造に比べ、錠一括操作機構５１をより簡素な構造で形成することができる。
【００６３】
また、本実施形態では特に、錠一括操作機構５１が、各ケース錠６に電力を共通的に供給するケース錠用給電レール５２、電源装置３０、及び通電スイッチ５３を備えた構成とする。これにより、各ケース錠６への給電系の構造を簡素化でき、錠一括操作機構５１の構造の簡素化をより一層進めることができる。また、通電によりケース錠６の一括開錠操作を行う構造とすることで、ケース錠６が施錠される通常時においては非通電状態とすることが可能であり、消費電力を節減することができる。
【００６４】
また、本実施形態では特に、通電スイッチ５３が、鍵穴５６を有し、鍵穴５６に錠一括操作鍵５７を挿入することで、ケース錠用給電レール５２と電源装置３０の接続・非接続を切り替え操作可能な構成とする。これにより、通電スイッチ５３を“錠化”し、錠一括操作機構５１自体にも防護性を与えることができる。その結果、施錠による陳列ケース４の防護性をさらに高めることができる。また店員は、鍵穴５６に差し込んだ錠一括操作鍵５７を回すだけの容易な操作によりケース錠６を一括開錠操作することができ、操作負担をより軽減することができる。
【００６５】
また、本実施形態では特に、錠一括操作機構５１が、通電スイッチ５３と電源装置３０に介在し、各陳列ケース４の陳列品を照明する各照明具５に電力を共通的に供給する照明具用給電レール２９を有する構成とする。すなわち、各照明具５への電力の供給を行う照明具用給電レール２９を、給電系における通電スイッチ５３の一次側に配置する。これにより、通電スイッチ５３が操作されてケース錠用給電レール５２と電源装置３０とが非接続とされた場合でも、照明具５への電力の供給は照明具用給電レール２９を介して行われる。すなわち、通電スイッチ５３の切り替え操作にかかわらず、照明具用給電レール２９を介して照明具５への電力供給を継続することができる。また、各照明具５への給電系の構造を簡素化でき、錠一括操作機構５１の構造の簡素化をより一層進めることが可能となる。
【００６６】
また、本実施形態では特に、ケース錠６が、電動式の錠本体３１と施錠受け３２とで構成され、錠本体３１と施錠受け３２の間での係止により施錠を行う構成とする。このようにケース錠６を錠本体３１と施錠受け３２とで構成することにより、本実施形態のように施錠受け３２を介して非常時の個別開錠が可能な構造とすることができ、ケース錠６の機能性を拡張することができる。
【００６７】
また、本実施形態では特に、錠本体３１が、開錠・施錠の駆動源としてのソレノイド３３を有する構成とする。このように、ケース錠６の施錠方式をソレノイド３３を開錠・施錠の駆動源とするソレノイドロックとすることにより、錠本体３１と施錠受け３２の間での係止により施錠を行う施錠構造をより簡素な構造で実現することができる。
【００６８】
また、本実施形態では特に、錠本体３１が、錠プランジャ３４及び突出付勢ばね３７を備え、突出状態にある錠プランジャ３４の係止受け３６が施錠受け３２の係止爪４２に係止されることで、施錠を行う構成とする。このように錠本体３１を構成することにより、ケース錠６を通電時開錠式とすることができ、ケース錠６に関する電力消費量の節約を図ることができる。すなわち施錠方式の陳列棚１ではケース錠６が施錠状態にあるのが通常の状態であるため、開錠状態の時間が施錠状態の時間に比べて格段に短いことから、非通電状態で施錠となり、通電により開錠となるようにすることで、ケース錠６に関する電力消費量を最小限に抑えることができる。
【００６９】
また、本実施形態では特に、係止爪４２がテーパ面４９を有しており、陳列品取出し不能化操作が錠プランジャ３４の突出状態においてなされた際に、テーパ面４９が錠プランジャ３４の先端を押圧して突出状態にある錠プランジャ３４を後退させつつ、係止受け３６に係止して施錠状態となるように構成する。これにより、上記のような事態になった場合でも、陳列ケースＴの陳列品取出し不能化操作を支障なく行えることができ、これによりケース錠６に関する使い勝手を高めることができる。
【００７０】
また、本実施形態では特に、施錠受け３２が鍵穴４３を有し、鍵穴４３に非常時鍵４４を挿入して開錠操作を行えるように構成する。これにより、例えば錠一括操作機構５１の電源装置３０や、錠本体３１のソレノイド３３に故障を生じたりした場合でも、施錠受け３２を通じた開錠操作によりケース錠６を個別に開錠でき、非常時への対応が可能となる。
【００７１】
また、本実施形態では特に、棚板３が、棚枠２に取り付けられた棚板ブラケット１７により前後方向にスライド可能に支持された構成であり、陳列品取出し可能化操作を、陳列ケース４をスライド式の棚板３と一体的に前方にスライドさせて引き出す引出し操作とする。これにより、陳列ケース４の陳列品取出し可能化操作としては様々な形態が可能であるが、使い勝手などから好ましい形態の一つである上記引出し操作を、陳列品取出し可能化操作として実現できる。
【００７２】
また、本実施形態では特に、錠本体３１は、棚板ブラケット１７に固定された照明具５に取り付けられ、施錠受け３２は、スライド式の棚板３に取り付けられた構成とする。このように陳列棚４で必須的な要素である照明具５を活用して錠本体３１の取付けを行うことにより、錠本体３１の取付けに伴う構造要素の簡素化を図ることができる。
【００７３】
なお以上では、本発明を実施するための形態について説明したが、これは代表的な例に過ぎず、本発明はその趣旨を逸脱することのない範囲で様々な形態で実施することができる。例えば上記実施形態では、陳列品取出し可能化操作が棚板の引出し操作である場合であったが、この他にも、例えば陳列ケースに設ける仕切板を開閉可能とし、その仕切板を開く操作が陳列品取出し可能化操作となる場合にも本発明を適用できる。また上記実施形態では、錠一括操作機構による一括開錠操作を電気的に行うようにしたが、一括開錠操作を械的なリンク機構でケース錠に一括的に伝えるような構造とすることも可能である。
【符号の説明】
【００７４】
１      陳列棚
２      棚枠
３      棚板
４      陳列ケース
５      照明具
１７    棚板ブラケット
２９    照明具用給電レール（照明具用共用給電ライン）
３０    電源装置
３１    錠本体
３２    施錠受け
３３    ソレノイド
３４    錠プランジャ
３５    プランジャ
３７    突出付勢ばね
４２    係止爪
４３    鍵穴
４４    非常時鍵
４９    テーパ面
５１    錠一括操作機構
５２    ケース錠用給電レール（共用給電ライン）
５３    通電スイッチ
５６    鍵穴
５７    錠一括操作鍵
【図１】
0005618347.tif 000002
【図２】
0005618347.tif 000003
【図３】
0005618347.tif 000004
【図４】
0005618347.tif 000005
【図５】
0005618347.tif 000006
【図６】
0005618347.tif 000007
【図７】
0005618347.tif 000008
【図８】
0005618347.tif 000009
【図９】
0005618347.tif 000010
【図１０】
0005618347.tif 000011